(57)【要約】      （修正有）【課題】肌に安全で繰り返し使用できることはもちろん、広い範囲に対して効果的に磁力効果を及ぼすことができると共に、構造が簡単で製造コストも低く抑えることができる新規な磁気治療器を提供する。【解決手段】シリコーンゴムからなるシート状母材１０内に、ボタン状または粒状の永久磁石２０をシート状母材１０の幅方向および長手方向に所定の間隔をおいて複数埋設する。これによって、広い範囲に対して効果的に磁力効果を及ぼすことができる。また、シート状母材１０を構成するシリコーンゴムは、それ自身が可撓性かつ粘着性であるため、接着剤を使用しなくとも、人体のあらゆる部位にしっかりと粘着することができる。また、シリコーンゴムは、人体に無害であるため、かゆみやかぶれなどを抑えることができる。【選択図】図１
0003186497.tif 000002
【実用新案登録請求の範囲】
【請求項１】
シリコーンゴムからなるシート状母材内に、ボタン状または粒状の永久磁石を前記シート状母材の幅方向および長手方向に所定の間隔をおいて複数埋設してなることを特徴とする磁気治療器。
【請求項２】
請求項１に記載の磁気治療器において、
前記シート状母材は、第１のシート状母材と、第２のシート状母材とを重ね合わせてなり、前記ボタン状の永久磁石を前記第１のシート状母材と第２のシート状母材間に挟持して埋設されていることを特徴とする磁気治療器。
【請求項３】
請求項１または２に記載の磁気治療器において、
前記シート状母材のうち、皮膚に粘着する面にボーダー状または格子状の凹凸を形成したことを特徴とする磁気治療器。
【請求項４】
請求項２または３に記載の磁気治療器において、
前記第１および第２シート状母材のうち、少なくとも前記皮膚に粘着する面を有するシート状母材は、シリコーンゴムからなることを特徴とする磁気治療器。
【請求項５】
請求項１乃至４のいずれかに記載の磁気治療器において、
前記ボタン状の永久磁石は、片面がＳ極、他方の面がＮ極の磁性を有し、皮膚方向に対してＳ極とＮ極とが交互に位置するように前記永久磁石を配置したことを特徴とする磁気治療器。
【請求項６】
請求項１乃至５のいずれかに記載の磁気治療器において、
前記シート状母材は、小判形状となっており、かつ周辺部になるに従ってその肉厚が薄くなっていることを特徴とする磁気治療器。
【考案の詳細な説明】
【技術分野】
【０００１】
本考案は、皮膚に貼り付けて磁力によって血行を良くしたり、筋肉のコリを直すための磁気治療器に関するものである。
【背景技術】
【０００２】
係る従来の磁気治療器としては、絆創膏のような粘着シートに小粒またはボタン状の磁石を貼り付け、使用時には、粘着シートを磁石ごと台紙または剥離紙などから剥がして皮膚に貼り付けるようにしている。
【０００３】
しかし、従来の絆創膏タイプの磁気治療器は、少なくともその粘着シートは、１回毎の使い捨てタイプあるいは長くても１週間程度しか使用できず、無駄が多かった。また、粘着シートは、長時間使用すると、粘着した部位にかゆみやかぶれ、蒸れなどが発生することがあった。
【０００４】
そのため、例えば以下の特許文献１では、シリコンを主成分とする貼付けパットを用い、この貼付けパット内に磁石を埋設することで繰り返し使用を可能とした磁気治療器を提案している。また、以下の特許文献２では、エラストマーを主材とするベース部に磁石体を固着することで繰り返し使用できる磁気治療器を提案している。
【先行技術文献】
【特許文献】
【０００５】
【特許文献１】特開２００５−３２８９０７号公報
【特許文献２】特開２０１１−１４０号公報
【考案の概要】
【考案が解決しようとする課題】
【０００６】
しかしながら、前記特許文献１に開示されている磁気治療器では、貼付けパットの中央に１つの磁石を埋設した構造となっているため、広い範囲に磁力効果を及ぼすためには、複数個まとめて貼り付けなければならない。また、貼付けパットの上面側から磁石を埋設し、その磁石の脱落を防止するためにその上を人工皮膜で覆っている構造となっていることから、製造コストが高くなる。
【０００７】
一方、前記特許文献２に開示されている磁気治療器は、軟質性の樹脂材料を磁石と共に可撓性フィルムで覆い、その表面に、シリコーンゲルからなる接着剤と吸水性ポリマーからなる粘着層を形成した構造となっている。そのため、構造が複雑となってしまい、製造コストが高くなるといった問題がある。また、粘着層が薄くなったり、剥がれてしまった場合には繰り返し使用することができず、優れた耐久性が期待できない。
【０００８】
そこで、本考案はこれらの課題を解消すべく案出されたものであり、その目的は、肌に安全で繰り返し使用できることはもちろん、広い範囲に対して効果的に磁力効果を及ぼすことができると共に、構造が複雑でなく製造コストも低く抑えることができる新規な磁気治療器を提供することにある。
【課題を解決するための手段】
【０００９】
前記課題を解決するために第１の考案は、シリコーンゴムからなるシート状母材内に、ボタン状または粒状の永久磁石を前記シート状母材の幅方向および長手方向に所定の間隔をおいて複数埋設してなることを特徴とする磁気治療器である。このような構成によれば、１つのシート状母材に複数個の永久磁石を埋設した構造となっているため、広い範囲に対して効果的に磁力効果を及ぼすことができる。また、シート状母材を構成するシリコーンゴムは、それ自身が可撓性かつ粘着性であるため、接着剤を使用しなくとも、人体のあらゆる部位にしっかりと粘着することができる。また、シリコーンゴムは、人体に無害であるため、かゆみやかぶれなどを抑えることができる。
【００１０】
第２の考案は、第１の考案において、前記シート状母材は、第１のシート状母材と、第２のシート状母材とを重ね合わせてなり、前記ボタン状の永久磁石を前記第１のシート状母材と第２のシート状母材間に挟持して埋設されていることを特徴とする磁気治療器である。このような構成によれば、第１のシート状母材と第２のシート状母材との間に前記ボタン状の永久磁石を複数挟み込むだけで、シート状母材内に複数の永久磁石を任意の間隔で簡単に埋設することができる。これにより、シート状母材内に複数の永久磁石をしっかりと保持することが可能となって優れた耐久性を発揮できると共に、容易に製造することができる。
【００１１】
第３の考案は、第１または第２の考案において、前記シート状母材のうち、皮膚に粘着する面にボーダー状または格子状の凹凸を形成したことを特徴とする磁気治療器である。このような構成によれば、粘着面と皮膚（人肌）との間に、溝状の隙間が適当な間隔で生じるため、汗や蒸気がこの隙間を介して外部に放出されるため、広い範囲を覆った場合でもその部分の蒸れを抑えることができる。
【００１２】
第４の考案は、第２または第３の考案において、前記第１および第２シート状母材のうち、少なくとも前記皮膚に粘着する面を有するシート状母材は、シリコーンゴムからなることを特徴とする磁気治療器である。このような構成にすれば、接着剤を使用しなくとも、シリコーンゴム特有の粘着性（べとつき感）によって、人体（皮膚）のあらゆる部位にしっかりと粘着することができる。また、シリコーンゴムは、人体に無害であるため、かゆみやかぶれなどの発生を抑制することができる。
【００１３】
第５の考案は、第１乃至第４のいずれかの考案において、前記ボタン状の永久磁石は、片面がＳ極、他方の面がＮ極の磁性を有し、皮膚方向に対してＳ極とＮ極とが交互に位置するように前記永久磁石を配置したことを特徴とする磁気治療器である。このような構成によれば、隣接する磁石同士を結ぶように円弧状の磁力線が発生し、その地場が体内に及ぶため、より効果的な磁気治療が期待できる。
【００１４】
第６の考案は、第１乃至第６のいずれかの考案において、前記シート状母材は、小判形状となっており、かつ周辺部になるに従ってその肉厚が薄くなっていることを特徴とする磁気治療器である。このような構成によれば、人体の動作により、皮膚に貼り付けられた状体のシート状母材と着衣とが擦れ合った場合でも、これが簡単に剥がれたりすることなく、その部位にしっかりと粘着することができる。
【考案の効果】
【００１５】
本考案の磁気治療器によれば、シリコーンゴムからなるシート状母材内に、ボタン状または粒状の永久磁石を前記シート状母材の幅方向および長手方向に所定の間隔をおいて複数埋設してなるため、広い範囲に対して効果的に磁力効果を及ぼすことができる。また、シート状母材を構成するシリコーンゴムは、それ自身が可撓性かつ粘着性であるため、接着剤を使用しなくとも、人体のあらゆる部位にしっかりと粘着することができる。また、シリコーンゴムは、人体に無害であるため、かゆみやかぶれなどを抑えることができる。
【図面の簡単な説明】
【００１６】
【図１】本考案に係る磁気治療器１００の実施の一形態を示す斜視図である。
【図２】（Ａ）は、図１中Ａ−Ａ方向断面図、（Ｂ）は、図１中Ｂ−Ｂ方向断面図である。
【図３】ボタンまたは粒状永久磁石２０の一例を示す側面図である。
【図４】ボタンまたは粒状永久磁石２０の配置例を示す平面図である。
【図５】永久磁石２０から発生する磁力線を示す概念図である。
【図６】本考案に係る磁気治療器１００の製造方法の一例を示す説明図である。
【図７】シート状母材１０の一部を剥がした状態を示す概念図である。
【図８】本考案に係る磁気治療器１００の使用例を示す説明図である。
【図９】本考案に係る磁気治療器１００の他の実施の形態を示す説明図である。
【図１０】本考案に係る磁気治療器１００の他の実施の形態を示す説明図である。
【考案を実施するための形態】
【００１７】
次に、本考案の実施の一形態を添付図面を参照しながら説明する。図１は本考案に係る磁気治療器１００の実施の一形態を示したものである。図示するように、この磁気治療器１００は、シート状母材１０内に、ボタン状または粒状の永久磁石２０をそのシート状母材１０の幅方向および長手方向に所定の間隔をおいて複数（本実施の形態では８個）埋設した構造となっている。
【００１８】
シート状母材１０は、例えば幅２〜５ｃｍ、長さ３〜１０ｃｍ程度の小判形状となっており、適度な弾力性と可撓性かつ粘着性を有するシリコーンゴム（シリコーンポリマー、シリコーンゲル）から構成されている。また、図２に示すように、このシート状母材１０は、その中央部の厚さが例えば３〜１０ｍｍ程度の肉厚となっており、その周辺部（縁部）になるに従って断面テーパ状にその肉厚が徐々に薄くなっている。
【００１９】
さらに、図示するように、このシート状母材１０は、皮膚に粘着する粘着面Ｎが略平面あるいは上方にやや窪んだ（湾曲）形状となっている。一方、このシート状母材１０の外面側は山形に盛り上がった曲面（丘）状となっていると共に、その表面はポリウレタンなどからなる丈夫で平滑な人工皮膚層Ｓで覆われている。
【００２０】
このシート状母材１０内に埋設される永久磁石２０は、図３に示すように、ボタン形状（円板状または粒状）となっており、その一方の面がＳ極、他方面がＮ極の極性となるように着磁されている。この永久磁石２０のサイズとしては、特に限定されるものではないが、例えば直径３ｍｍ〜１．０ｃｍ、厚さ数ｍｍ程度のものが適している。そして、図４に示すように、これらの永久磁石２０は、シート状母材１０の長手方向に沿って２列に各４個づつ、合計８個、等間隔で配置されると共に、隣接する永久磁石２０同士でその極性の向きがそれぞれ反対になるように交互に配置されている。ここで、この永久磁石２０の材料も特に限定されるものでなく、従来から磁気治療に用いられてきたフェライト磁石の他に、アルニコ磁石やサマリウムコバルト磁石、ネオジム磁石などの強力な磁力を発揮するものも用いることができる。
【００２１】
図６は、このような構成をした本考案の磁気治療器１００の製造方法の一例を示したものである。先ず、同図（Ａ）に示すようにシート状母材１０を構成する第１シート状母材１０ａと、第２シート状母材１０ｂとを用意する。この第１シート状母材１０ａと第２シート状母材１０ｂは、いずれも同じ小判形になっており、第１シート状母材１０ａは、皮膚側に粘着する粘着面Ｎを有し、第２シート状母材１０ｂは、上面側に平滑な人工皮膚層Ｓを有している。この第１シート状母材１０ａと第２シート状母材１０ｂは、いずれも粘着性を有するシリコーンゴムから構成されている、なお、この第１シート状母材１０ａと第２シート状母材１０ｂのうち、少なくとも粘着面Ｎを有する第１シート状母材１０ａだけは、シリコーンゴムで形成する必要があるが、第２シート状母材１０ｂはエラストマーなどの可撓性を有する他の樹脂で形成しても良い。
【００２２】
次に、同図（Ｂ）に示すようにこの第１シート状母材１０ａを図示しない台または台紙上に配置して、その上に永久磁石２０を８個等間隔に配置した後、同図（Ｃ）に示すようにその上に第２シート状母材１０ｂを覆い被せる。これによって、同図（Ｄ）に示すように所定肉厚の小判形シート状母材１０が完成されると同時に、その内部に複数個の永久磁石２０を等間隔に埋設することができる。このとき、第１シート状母材１０ａと第２シート状母材１０ｂとを接着剤などによって接着させるようにしても良いが、シリコーンゴム自体が適度な粘着性（べとつき感）を有しているため、そのまま重ね合わせて適当な圧接力を加えれば、容易に両母材を接着することができる。
【００２３】
そして、このような構成をした本考案の磁気治療器１００にあっては、１つのシート状母材１０に複数個の永久磁石２０を埋設した構造となっているため、広い範囲に対して均一に磁力効果を及ぼすことができる。これによって、広い範囲に亘って血行の促進および筋肉のコリを解消することができる。
【００２４】
また、このシート状母材１０を構成するシリコーンゴムは、図７に示すようにそれ自身が適度な弾力性を有し、かつ可撓性、粘着性であるため、接着剤を使用しなくとも、人体のあらゆる部位にしっかりと粘着することができる。すなわち、このシート状母材１０は、例えばシリコーンゴム（シリコーンポリマー）コンパウンドにシリコンオイルを配合し、硫黄や過酸化物などの加硫剤、架橋剤を配合し、金型内で架橋処理を行うことによって製造することができ、医療用の人工乳房や、皮膚に粘着させて使用するシリコーン製のブラジャー程度の粘着性および柔らかさとなっている。そのため、貼り付ける部位の形状に合わせてシート状母材１０全体が容易に変形してその状態でそのまま粘着することができる。
【００２５】
図８は、本考案の磁気治療器１００の使用例であって、特に多くの人がコリを訴える首の後ろ側の僧帽筋の上部に貼り付けた状態を示したものであり、このような湾曲かつ傾斜した部位に対してもシリコーンゴム（シリコーンゲル）自体の適度な弾力性（可撓性）と粘着性（べとべと感）とによってしっかりと貼り付けることができる。また、シリコーンゴムは、人体に無害であるため、貼り付け部位のかゆみやかぶれなどを抑えることができ、さらに汚れた場合には、水洗いなどで簡単に汚れが落ちる上に、その粘着力も殆ど変わらないため、繰り返し使用することができる。
【００２６】
また、この磁気治療器１００のシート状母材１０は、第１のシート状母材１０ａと第２のシート状母材１０ｂとを重ね合わせてなるため、第１のシート状母材１０ａと第２のシート状母材１０ｂとの間に永久磁石２０を挟み込むだけで、シート状母材１０内に複数の永久磁石２０を任意の間隔で簡単に埋設することができる。これにより、シート状母材内に複数の永久磁石をしっかりと保持することが可能となって優れた耐久性を発揮できると共に、製造も容易であるため、製造コストを低く抑えることができる。
【００２７】
また、このシート状母材１０内に埋設される永久磁石２０は、片面がＳ極、他方の面がＮ極の磁性を有し、皮膚方向に対してＳ極とＮ極とが交互に位置するように配置されているため、図５に示すように隣接する永久磁石２０同士を結ぶように円弧状の磁力線が均一に発生し、その地場が体内に及ぶため、より効果的な磁気治療が期待できる。
【００２８】
さらに、このシート状母材１０は、図２に示すように小判形状となっており、かつ周辺部になるに従ってその肉厚が薄くなっているため、人体の動作により、皮膚に貼り付けられた状態のシート状母材１０と着衣とが擦れ合った場合でも、これが簡単に剥がれたりすることなく、その部位にしっかりと粘着することができる。さらに、このシート状母材１０の外面に円滑な人工皮膚層Ｓを形成したため、このシート状母材１０が着衣に粘着して剥がれてしまうようなこともない。
【００２９】
また、図９および図１０に示すように、シート状母材１０のうち、皮膚に粘着する粘着面Ｎにボーダー状（波状）の凹凸３０を形成しても良い。このように粘着面Ｎにボーダー状（波状）の凹凸３０を形成すれば、粘着面Ｎと皮膚（人肌）との間に、溝状の隙間が適当な間隔で生じ、汗や蒸気がこの隙間を介して外部に放出されるため、その部分の蒸れや蒸れによる粘着性の低下を抑えることができる。なお、この凹凸は、蒸れを抑えることができるものであれば、ボーダー状（波状）に限らず、例えば格子状や溝状であっても良い。  
【００３０】
また、シート状母材１０の外面に人工皮膚層Ｓを形成するのは、シリコーンゴム特有のべたつき感を抑えるためであるが、シート状母材１０の外面をブラスト面に処理したり、摺動塗装などを施してべたつき感を抑えることができれば、この人工皮膚層Ｓを省略しても良い。また、肌に対してかゆみやかぶれなどがない接着剤であれば、その接着剤を用いてシート状母材１０を皮膚に貼り付けるようにしても良い。
【００３１】
また、シート状母材１０は、小判形状に限らず、矩形状や短冊形状、真円形、楕円形などであっても良い。また、永久磁石２０は、上下面がやや膨らんだボタン形状の他に、両面が平面な円盤形状や球状であったり、棒状、多角形状であっても良く、特に限定されるものではない。また、永久磁石２０の配列は、必ずしも等間隔に配列する必要はなく、例えば、シート状母材１０の中央部分は密に配置し、周縁部分は粗に配置するようにしても良い。
【符号の説明】
【００３２】
１００…磁気治療器
１０…シート状母材
１０ａ…第１シート状母材
１０ｂ…第２シート状母材
２０…永久磁石
３０…凹凸
Ｎ…粘着面
Ｓ…人工皮膚層
【図１】
0003186497.tif 000003
【図２】
0003186497.tif 000004
【図３】
0003186497.tif 000005
【図４】
0003186497.tif 000006
【図５】
0003186497.tif 000007
【図６】
0003186497.tif 000008
【図７】
0003186497.tif 000009
【図８】
0003186497.tif 000010
【図９】
0003186497.tif 000011
【図１０】
0003186497.tif 000012